(57)【要約】【課題】指保護具を装着しない場合と同様な作業性を維持したまま野菜の刻み作業を安全に行うことができる指保護具の提供。【解決手段】包丁側に位置する第一の面と指側に位置する第二の面を有し、前記第一の面に沿って包丁が上下に滑り移動するガイド板と、前記ガイド板の上方に設けられ、前記第二の面側で指を押えるように形成された指掛部と、前記ガイド板の下方に設けられ、前記第二の面側から前記第一の面側に指が挿通するよう形成された挿通部とを有する指保護具。【選択図】    図２
2004167089.tif 000002
【特許請求の範囲】
【請求項１】
包丁側に位置する第一の面と指側に位置する第二の面を有し、前記第一の面に沿って包丁が上下に滑り移動するガイド板と、前記ガイド板の上方に設けられ、前記第二の面側で指を押えるように形成された指掛部と、前記ガイド板の下方に設けられ、前記第二の面側から前記第一の面側に指が挿通するよう形成された挿通部とを有することを特徴とする指保護具。
【請求項２】
前記ガイド板は、可撓性を有するプラスチック板からなる請求項１記載の指保護具。
【請求項３】
前記指掛部は、弾性材料からなる請求項１記載の指保護具。
【請求項４】
前記挿通部は、前記ガイド板に切り込み筋を設けることにより形成されている請求項１記載の指保護具。
【請求項５】
前記挿通部は、前記ガイド板に開口窓を設けることにより形成されている請求項１記載の指保護具。
【発明の詳細な説明】
【０００１】
【発明の属する技術分野】
本発明は、指の切傷を防止するための指保護具、詳しくはネギ、キャベツ、キュウリなどの野菜を包丁でもって細かく刻む際に指の切傷を防止するための指保護具に関するものである。
【０００２】
【従来の技術】
ネギ、キャベツ、キュウリなどの野菜を包丁でもって細かく刻むには、一方の手に包丁を持ち、他方の手でまな板上の野菜を押さえ、野菜を押さえている側の手の指先を野菜の切断端部に当て、その指先に包丁の刃の側面を接触させ、指先をガイドとして包丁を上下に操作すると共に指を僅かに移動させながら野菜を刻むのが一般的である。
【０００３】
上記のような野菜の刻み作業を能率よく行うには、野菜を保持している側の指先の後退動作と包丁の上下動動作のタイミングおよびスピードが要求され、未熟練者が刻みスピードを速くした場合、あるいは熟練者であっても指先の後退動作と包丁の上下動動作のタイミングが乱れた場合、包丁によって指先を切傷するという事故が発生する。
【０００４】
このような、包丁による指先の切傷自己を防止するため、指先を外側からカバーし且つ包丁をガイドするガイド板（保護板）と、ガイド板の裏面に取付けられた指掛部を有する指プロテクタが提案されている（例えば、特許文献１参照）。
【０００５】
【特許文献１】
特開平１０−１１７９４９号公報（請求項１、図２）
【０００６】
【発明が解決しようとする課題】
しかしながら、特許文献１に開示された指プロテクタは、一つの指掛部に指先を挿入して使用するものであり、ガイド板と包丁との接触角度の調整が難しく、また、野菜等を指先で押える場合、ガイド板の下端が野菜等に接触して作業中にガイド板と包丁との接触角度が変わるなどの不都合を生じ、作業性がしにくくなるという問題がある。
【０００７】
本発明は前記した従来技術の問題点を解決するためになされたものであり、指保護具を装着しない場合と同様な作業性を維持したまま野菜の刻み作業を安全に行うことができる指保護具の提供を目的とするものである。
【０００８】
【課題を解決するための手段】
本発明は、前記目的を達成するため、包丁側に位置する第一の面と指側に位置する第二の面を有し、前記第一の面に沿って包丁が上下に滑り移動するガイド板と、前記ガイド板の上方に設けられ、前記第二の面側で指を押えるように形成された指掛部と、前記ガイド板の下方に設けられ、前記第二の面側から前記第一の面側に指が挿通するよう形成された挿通部とを有する指保護具を提供する。
【０００９】
このような構成の指保護具にあっては、ガイド板の上方に形成された指掛部に指を通し、更にガイド板の下方に形成された挿通部に指を第二の面側から第一の面側に挿通させ、指先の腹をガイド板の下端に押し付けるようにして指を曲げると、指の曲げ具合に応じた曲面が第一の面側に形成されるので、この曲面に沿って包丁を上下動させることにより野菜を刻むことができる。この場合、ガイド板の下端は、指先の腹で押えられているので、指先で直接野菜を押えるときにガイド板の下端は野菜に接触しないため、ガイド板と包丁との接触角度が変わるなどの不都合は生じなくなり、ガイド板を用いない場合と同様の感覚でもって野菜を刻むことが可能になる。また、ガイド板は、指掛部と挿通部の上下二箇所で指に係止されるので、作業中に指からズレたりすることがなくなる。
【００１０】
ガイド板は、可撓性を有するプラスチック板で形成すると（請求項２）、僅かな力を指に加えるだけでガイド板を曲げることができる。
【００１１】
指掛部はゴムのような弾性材料により形成すると（請求項３）、指保護具の着脱を容易に行うことができる。
【００１２】
挿通部は、ガイド板に切り込み筋を設けることにより（請求項４）、あるいは、ガイド板に開口窓を設けることにより形成できる（請求項５）。挿通部の大きさは、人差指、中指および薬指の少なくとも１本の指が挿通できる大きさでも良いが、２本の指を挿通できる大きさとしても良い。
【００１３】
【発明の実施の形態】
以下本発明の実施の形態を添付した図面を参照しながら説明する。図１は、本発明の指保護具の一実施の形態の説明図であり、図１（ａ）は正面図、図１（ｂ）は、図１（ａ）のＡ−Ａ線断面図である。
【００１４】
図１（ａ）、（ｂ）において、１はガイド板、２はガイド板１の第一の面、３はガイド板１の第二の面、４は指掛部、５は挿通部である。
【００１５】
ガイド板１は、ポリエチレンやポリプロピレン等を原材料とするプラスチック板を長方形に打抜いたもので形成することが好ましく、これによって、指の曲げを容易とする可撓性が付与される。ガイド板１の縦方向寸法は人差指または中指の長さ程度（６０〜１００ｍｍ）、幅方向寸法は３０〜５０ｍｍ程度が好ましく、厚さは、機械的強度の観点から１ｍｍ以上で、指による曲げ易さ（可撓性）の観点から３ｍｍ以下の範囲が好ましいが、これに限定されるものではない。
【００１６】
指掛部４は、ガイド板１の上方に設けた孔６、６にゴムバンドを挿通することにより形成され、図１（ｂ）に示すように、ガイド板１の第二の面３側で、人差指Ｆと中指Ｍを押えるようになっている。
【００１７】
挿通部５は、ガイド板１の下方に切り込みを入れ、Ｕ字形に筋状の開口を設けることにより形成される。挿通部５の大きさ（幅方向寸法Ｗ）は、挿通する指の本数にもよるが、２０〜４０ｍｍ程度が好ましい。
【００１８】
図２は、前述した指保護具の使用形態を示したもので、人差指Ｆと中指Ｍを指掛部４に挿通させ、更に挿通部５を挿通させてガイド板１の第二の面３側から第一の面２側に突き出させ、ガイド板１の下端部７を人差指Ｆと中指Ｍの指先で押え、人差指Ｆと中指Ｍの先を野菜Ｖの上部に添えると共に人差指Ｆと中指Ｍを曲げることにより、ガイド板１の第一の面２に曲面が形成され、この曲面に沿って包丁Ｋを上下させながら人差指Ｆと中指Ｍを移動させることにより、野菜Ｖを安全に刻むことができる。この場合、ガイド板１の下端部７は人差指Ｆと中指Ｍの腹で押えられているため、ガイド板１は野菜に直接触れないので、ガイド板１と包丁Ｋの接触角度は常にほぼ一定に保たれ、ガイド板１を用いない場合と同様の感覚でもって野菜を刻むことができる。この場合、ガイド板１は、指掛部４と挿通部５の二箇所で人差指Ｆと中指Ｍに系止されており、野菜Ｖの刻み中に人差指Ｆと中指Ｍからズレにくくなり、作業能率が大きく向上する。
【００１９】
図３は、指掛部の他の実施の形態の説明図であり、ゴムバンドの両端部をビス８、８でガイド板１に係止することにより指掛部３４が形成されている。
【００２０】
図４は、挿通部の他の実施の形態の説明図であり、ガイド板１に開口部を穿つことにより挿通部４５が形成されている。
【００２１】
【発明の効果】
本発明の指保護具は、包丁側に位置する第一の面と指側に位置する第二の面を有し、前記第一の面に沿って包丁が上下に滑り移動するガイド板と、前記ガイド板の上方に設けられ、前記第二の面側で指を押えるように形成された指掛部と、前記ガイド板の下方に設けられ、前記第二の面側から前記第一の面側に指が挿通するよう形成された挿通部とを有するものであり、指保護具を装着しない場合と同様な作業性を維持したまま野菜の刻み作業を安全に行うことができるようになる。
【図面の簡単な説明】
【図１】本発明の指保護具の一実施の形態の説明図であり、図１（ａ）は、正面図、図１（ｂ）は、図１（ａ）のＡ−Ａ線断面図である。
【図２】本発明の指保護具の使用形態の説明図である。
【図３】指掛部の他の実施の形態の説明図である。
【図４】挿通部の他の実施の形態の説明図である。
【符号の説明】
１  ：  ガイド板
２  ：  第一の面
３  ：  第二の面
４  ：  指掛部
５  ：  挿通部
６  ：  孔
７  ：  下端部
Ｆ  ：  指（人差指）
Ｍ  ：  指（中指）
Ｋ  ：  包丁
Ｖ  ：  野菜
【図１】
2004167089.tif 000003
【図２】
2004167089.tif 000004
【図３】
2004167089.tif 000005
【図４】
2004167089.tif 000006